(57)【要約】【課題】使用者に利便性良く集塵部の集塵量が所定値以上であることを報知できる使用性の高い電気掃除機を提供することを目的としている。【解決手段】吸引風を発する電動送風機１と、前記電動送風機１の電流値を検知する電流検知手段１３と、塵埃を捕集する集塵部７と、前記検知した電流値より前記集塵部７内の集塵量が所定値以上であることを判定し前記判定した情報を記憶する記憶手段１６と、前記記憶手段１６に記憶された判定情報を表示する表示手段１４を備え、前記集塵部７内の集塵量が所定値以上であることを判定したとき、前記電動送風機１を停止させた後でも前記表示手段１４に前記集塵部７内の集塵量が所定値以上である情報を表示するものである。【選択図】　図１
2004065357.tif 000002
【特許請求の範囲】
【請求項１】
吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された判定情報を表示する表示手段を備え、前記集塵部内の集塵量が所定値以上であることを判定したとき、前記電動送風機を停止させた後でも前記表示手段に前記集塵部内の集塵量が所定値以上である情報を表示する電気掃除機。
【請求項２】
吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された情報を表示する表示手段と、使用者が握る把手部と、前記把手部に設けられ使用者が前記把手部を握った圧力を検知する手元圧力検知手段を備え、前記集塵部内の集塵量が所定値以上であることを判定したとき、前記電動送風機を停止させた後でも前記使用者が前記把手部を握った際、前記表示手段に前記集塵部内の集塵量が所定値以上である情報を表示する電気掃除機。
【請求項３】
吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された情報を表示する表示手段と、商用電源から電力を給電する電源給電線を備え、前記集塵部内の集塵量が所定値以上であることを判定したとき、前記電源給電線が前記商用電源を電気的に接続している間、前記表示手段に前記集塵部内の集塵量が所定値以上である情報を表示する電気掃除機。
【請求項４】
電流検知手段が検知した電動送風機の電流値により、集塵部内の集塵量が所定値以下であることを判定したとき、記憶手段に記憶されている前記集塵部内の集塵量が所定値以上であるという情報を解除する請求項１〜３のいずれか１項に記載の電気掃除機。
【請求項５】
集塵部を覆う集塵室蓋と、前記集塵室蓋の開閉を検知する集塵室蓋開閉検知手段を設け、前記集塵室蓋が開かれたら前記記憶手段に記憶されている前記集塵部内の集塵量が所定値以上であるという情報を解除する請求項１〜３のいずれか１項に記載の電気掃除機。
【請求項６】
吸引風を発する電動送風機と、前記電動送風機の電流値を検知する電流検知手段と、塵埃を捕集する集塵部と、被掃除面に付着している塵埃を掻き上げる回転ブラシを駆動させる電動機を備え、前記検知した電流値より前記集塵部内の集塵量が所定値以上であることを判定したとき、前記電動機を断続回転させる電気掃除機。
【請求項７】
吸引風を発する電動送風機と、前記電動送風機の電流値を検知する電流検知手段と、塵埃を捕集する集塵部を備え、前記検知した電流値より前記集塵部内の集塵量が所定値以上であることを判定したとき、前記電動送風機を断続回転させる電気掃除機。
【請求項８】
吸引風を発する電動送風機と、前記電動送風機の電流値を検知する電流検知手段と、塵埃を捕集する集塵部と、被掃除面に付着している塵埃を掻き上げる回転ブラシを駆動させる電動機を備え、前記検知した電流値より前記集塵部内の集塵量が所定値以上であることを判定したとき、前記電動機および前記電動送風機を断続回転させる電気掃除機。
【発明の詳細な説明】
【０００１】
【発明の属する技術分野】
本発明は、電気掃除機に関するもので、集塵部の満杯検知とその報知方法に関するものである。
【０００２】
【従来の技術】
従来の電気掃除機を図７〜図９を用いて説明する。
【０００３】
図７は機構構成図で、電動送風機１の回転により塵埃を吸い込む空気の流れが発生すると、被掃除面上の塵埃は吸込具２より吸い込まれ、延長管３、ホース４、吸気口５を経て本体６の中に入り、集塵部７で捕集され、塵埃を運んできた空気は集塵部７を通過して排気口８より排気され、電動送風機１と集塵部７は本体６に収納される構成をとっている。ホース４の先端部分には使用者が電気掃除機を扱い易いように把手部４ａが備えられている。また、集塵部７を本体６の外部に取り出すため、集塵室蓋９が本体６に設けられている。また、吸込具２には被掃除面に付着している塵埃を掻き上げる電動機１０が設けられている。
【０００４】
図８は制御構成図で、塵埃を吸い込む空気の流れを発生させる電動送風機１と、被掃除面に付着している塵埃を掻き上げる電動機１０と、電動送風機１を駆動する商用電源１１と、電動送風機１の入力を設定する入力設定手段１２と、電動送風機１の電流値を検知する電流検知手段１３と、集塵部７の集塵量が所定値以上であることを表示する表示手段１４と、入力設定手段１２からの入力により電動送風機１と表示手段１４を制御する制御手段１５である。
【０００５】
図９は電動送風機１の電流値と風量の特性図で、集塵部７の集塵量が所定値以下の場合は風量Ｑ１で電流値Ａ１であり、集塵部７の集塵量が所定値以上の場合、風量はＱ１より小さいＱ２で、電流値はＡ１より小さいＡ２である。
【０００６】
入力設定手段１２は、電動送風機１を回転させる「オン」と、停止させる「オフ」を設定できるものとし、電動機１０も電動送風機１の「オン」、「オフ」と共に設定できるものとする。電動送風機１の回転開始時は、集塵部７の中に塵埃は無く、空の状態であり、このときの風量はＱ１、電流値はＡ１とする。また、電流値がＡ１より小さいＡ２になったら、表示手段１４を点灯させて集塵部７の集塵量が所定値以上であることを報知するものとする。
【０００７】
以上の従来の構成による動作は以下の通りである。
【０００８】
入力設定手段１２を「オン」に設定すると、電動送風機１は回転を開始し、吸込具２より塵埃が吸引され、集塵部７に捕集されていく。電動送風機１の回転開始時は集塵部７の中に塵埃は無く、空なので、集塵部７の中を通り抜ける風量は大きく、Ｑ１である。また、風量が大きいＱ１の場合は、風量の大きさが電動送風機１の回転を妨げる抵抗となるので、電動送風機１の電流値も大きく、Ａ１となる。集塵部７の中に塵埃が溜まり、満杯になると、集塵部７の中を通り抜ける風量はＱ１より小さいＱ２になる。また、風量が小さいＱ２の場合は、電動送風機１の回転を妨げる抵抗も小さくなるので、電動送風機１の電流値もＡ１より小さいＡ２となる。電動送風機１の電流値がＡ２になったので、表示手段１４を点灯させて集塵部７の集塵量が所定値以上であることを報知していた。
【０００９】
【発明が解決しようとする課題】
上記従来の構成では、集塵部７の中に溜まる塵埃によって、集塵部７の中を通り抜ける空気の流れが妨げられて風量が小さくなり、電動送風機１は風量が小さくなると抵抗が減るので電流値も小さくなるという原理を利用して集塵部７の集塵量が所定値以上であることを検知し、表示手段１４を点灯させている。ほとんどの場合使用者は、電気掃除機の使用の終了時入力設定手段１２を「オフ」する操作に気をとられ、表示手段１４が点灯しても気がつかないことが多い。表示手段１４の点灯に気がつかずに電気掃除機の使用を終了した場合、集塵部７の中に溜まった塵埃はそのままとなる。
【００１０】
電気掃除機の次回の使用開始にて、電動送風機１が回転し、電流値が小さいので再び満杯検知し、表示手段１４が点灯することとなる。使用者は、電気掃除機の次回の使用開始にて、入力設定手段１２を「オン」し、電動送風機１の回転が大きくなってきて、「さあ、これから掃除をしよう」とした矢先に表示手段１４が点灯し、集塵部７の交換又は溜まった塵埃の除去をしなければならないという問題点があった。
【００１１】
また、表示手段１４を有することが、高コストにつながるという問題点も有していた。
【００１２】
本発明は、上記課題を解決するもので、使用者に利便性良く集塵部の集塵量が所定値以上であることを報知できる使用性の高い電気掃除機を提供することを目的としている。
【００１３】
【課題を解決するための手段】
上記目的を達成するための本発明は、吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された判定情報を表示する表示手段を備え、前記集塵部内の集塵量が所定値以上であることを判定したとき、前記電動送風機を停止させた後でも前記表示手段に前記集塵部内の集塵量が所定値以上である情報を表示する電気掃除機で、電気掃除機の次回の使用開始時で電動送風機の回転が立ち上がる前に集塵部の集塵量が所定値以上であることを報知できるので、使用者にとって集塵部のメンテナンスがしやすい表示手段を提供できるというという効果を得ることができる。
【００１４】
【発明の実施の形態】
本発明の請求項１記載の発明は、吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された判定情報を表示する表示手段を備え、前記集塵部内の集塵量が所定値以上であることを判定したとき、前記電動送風機を停止させた後でも前記表示手段に前記集塵部内の集塵量が所定値以上である情報を表示する電気掃除機で、電気掃除機の次回の使用開始時で電動送風機の回転が立ち上がる前に集塵部の集塵量が所定値以上であることを報知できる電気掃除機。
【００１５】
本発明の請求項２記載の発明は、吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された情報を表示する表示手段と、使用者が握る把手部と、前記把手部に設けられ使用者が前記把手部を握った圧力を検知する手元圧力検知手段を備え、前記集塵部内の集塵量が所定値以上であることを判定したとき、前記電動送風機を停止させた後でも前記使用者が前記把手部を握った際、前記表示手段に前記集塵部内の集塵量が所定値以上である情報を表示する電気掃除機で、電気掃除機の次回の使用開始時で電動送風機の入力設定前に集塵部の集塵量が所定値以上であることを報知できる。
【００１６】
本発明の請求項３記載の発明は、吸引風を発する電動送風機と、前記電動送風機の電流値を検知する電流検知手段と、塵埃を捕集する集塵部と、前記検知した電流値より前記集塵部内の集塵量が所定値以上であることを判定し前記判定した情報を記憶する記憶手段と、前記記憶手段に記憶された情報を表示する表示手段と、商用電源から電力を給電する電源給電線を備え、前記集塵部内の集塵量が所定値以上であることを判定したとき、前記電源給電線が前記商用電源を電気的に接続している間、前記表示手段に前記集塵部内の集塵量が所定値以上である情報を表示する電気掃除機で、電気掃除機の次回の使用開始時で前記使用者が前記把手部を握る前に集塵部の集塵量が所定値以上であることを報知できる。
【００１７】
本発明の請求項４記載の発明は、電流検知手段が検知した電動送風機の電流値により、集塵部内の集塵量が所定値以下であることを判定したとき、記憶手段に記憶されている前記集塵部内の集塵量が所定値以上であるという情報を解除するで、前記記憶手段の解除手段なしで集塵部内の集塵量が所定値以上であるという情報を解除できる。
【００１８】
本発明の請求項５記載の発明は、集塵部を覆う集塵室蓋と、前記集塵室蓋の開閉を検知する集塵室蓋開閉検知手段を設け、前記集塵室蓋が開かれたら前記記憶手段に記憶されている前記集塵部内の集塵量が所定値以上であるという情報を解除するで、電気掃除機の次回の使用開始時で電動送風機の回転が立ち上がる前に集塵部の集塵量が所定値以上であることを解除できる。
【００１９】
本発明の請求項６記載の発明は、吸引風を発する電動送風機と、前記電動送風機の電流値を検知する電流検知手段と、塵埃を捕集する集塵部と、被掃除面に付着している塵埃を掻き上げる回転ブラシを駆動させる電動機を備え、前記検知した電流値より前記集塵部内の集塵量が所定値以上であることを判定したとき、前記電動機を断続回転させる電気掃除機で、表示手段を用いなくても報知できる。
【００２０】
本発明の請求項７記載の発明は、吸引風を発する電動送風機と、前記電動送風機の電流値を検知する電流検知手段と、塵埃を捕集する集塵部を備え、前記検知した電流値より前記集塵部内の集塵量が所定値以上であることを判定したとき、前記電動送風機を断続回転させる電気掃除機で、表示手段を用いずかつ電動機を具備していなくても報知できる。
【００２１】
本発明の請求項８記載の発明は、吸引風を発する電動送風機と、前記電動送風機の電流値を検知する電流検知手段と、塵埃を捕集する集塵部と、被掃除面に付着している塵埃を掻き上げる回転ブラシを駆動させる電動機を備え、前記検知した電流値より前記集塵部内の集塵量が所定値以上であることを判定したとき、前記電動機および前記電動送風機を断続回転させる電気掃除機で、表示手段を用いず、かつ両者を断続回転させるので、それらの回転音や把手部を媒体して伝わる振動が、どちらか片方の断続回転のときよりもさらに報知効果を大きくできる。
【００２２】
【実施例】
（実施例１）
以下、本発明の第１の実施例を図１、図２を用いて説明する。機構構成図は、従来例と同じなので省略する。
【００２３】
図１は制御構成図で、塵埃を吸い込む空気の流れを発生させる電動送風機１と、被掃除面に付着している塵埃を掻き上げる電動機１０と、電動送風機１を駆動する商用電源１１と、電動送風機１の入力を設定する入力設定手段１２と、電動送風機１の電流値を検知する電流検知手段１３と、集塵部７の集塵量が所定値以上であることを表示する表示手段１４と、入力設定手段１２からの入力により電動送風機１と電動機１０と、表示手段１４を制御する制御手段１５と、電流値より集塵部７の集塵量が所定値以上であることを判定し、満杯を記憶する記憶手段１６と、把手部４ａを握った圧力を検知する手元圧力検知手段１７と、商用電源１１を給電する電源給電線１１ａである。図２は電流特性図で、電動送風機１の電流値の変化を時系列で示している。集塵部７の集塵量が所定値以下の場合は風量Ｑ１で電流値Ａ１であり、集塵部７の集塵量が所定値以上の場合、風量はＱ１より小さいＱ２で、電流値はＡ１より小さいＡ２である。
【００２４】
入力設定手段１２は、電動送風機１を回転させる「オン」と、停止させる「オフ」を設定できるものとし、電動機１０も電動送風機１の「オン」、「オフ」と共に設定できるものとする。電動送風機１の回転開始時は、集塵部７の中に塵埃は無く、空の状態であり、このときの風量はＱ１、電流値はＡ１とする。電流値がＡ１のときは、記憶手段１６に記憶している満杯情報を解除し、表示手段１４を消灯する。また、電流値がＡ１より小さいＡ２になったら、記憶手段１６に満杯情報を記憶し、表示手段１４を点灯させて集塵部７の集塵量が所定値以上であることを報知するものとする。
【００２５】
以上の構成による動作は以下の通りである。
【００２６】
入力設定手段１２を「オン」に設定すると、電動送風機１は回転を開始し、このとき、図２の時間０である。電動送風機１の回転が立ち上がると、吸込具２より塵埃が吸引され、集塵部７に捕集されていく。電動送風機１の回転開始時は集塵部７の中に塵埃は無く、空なので、図２の時間ｔ１に於いて、集塵部７の中を通り抜ける風量は大きく、Ｑ１である。また、風量が大きいＱ１の場合は、風量の大きさが電動送風機１の回転を妨げる抵抗となるので、図２の時間ｔ１に於いて、電動送風機１の電流値も大きく、Ａ１となる。集塵部７の中に塵埃が溜まり、満杯になると、図２の時間ｔ２に於いて、集塵部７の中を通り抜ける風量はＱ１より小さいＱ２になる。また、風量が小さいＱ２の場合は、電動送風機１の回転を妨げる抵抗も小さくなるので、図２の時間ｔ２に於いて、電動送風機１の電流値もＡ１より小さいＡ２となる。電動送風機１の電流値がＡ２になったので、集塵部７が満杯になった情報を記憶手段１６に記憶し、表示手段１４を点灯させて集塵部７の集塵量が所定値以上であることを報知する。表示手段１４が点灯した状態で、入力設定手段１２を「オフ」に設定し、電動送風機１をオフする。また、電源給電線１１ａを商用電源１１からはずして、１回目の電気掃除機の使用を終了する。なお、１回目の使用終了後は集塵部７を満杯の状態ままにしておく。
【００２７】
次に、２回目の電気掃除機の使用を開始するため、図２の時間ｔ３に於いて電源給電線１１ａを商用電源１１に接続し、図２の時間ｔ４に於いて使用者が把手部４ａを握り、図２の時間ｔ５に於いて入力設定手段１２を「オン」に設定する。このとき、記憶手段１６に満杯情報が記憶されているので、表示手段１４を点灯する。この後、時間の経過と共に電動送風機１の回転が立ち上がるが、集塵部７は満杯のままなので、図２の時間ｔ６に於いて、風量Ｑ２、電流値Ａ２となる。この後、入力設定手段１２を「オフ」に設定し、電動送風機１をオフする。また、集塵室蓋９を開き、満杯になった集塵部７を空のものに交換するか、集塵部７の中に入っている塵埃を全て取り出すかして、集塵部７を空にし、集塵室蓋９を閉じる。
【００２８】
次に、３回目の電気掃除機の使用を開始するため、図２の時間ｔ７に於いて入力設定手段１２を「オン」に設定する。このとき、記憶手段１６に満杯情報が記憶されているので、表示手段１４を点灯する。この後、時間の経過と共に電動送風機１の回転が立ち上がるが、集塵部７は空なので、図２の時間ｔ８に於いて、風量Ｑ１、電流値Ａ１となる。電流値がＡ１に回復したので、記憶手段１６に記憶している満杯情報を解除し、表示手段１４を消灯する。
【００２９】
このように、従来例では図２の時間ｔ６で表示手段１４が点灯していたが、本実施例においては、電動送風機１の入力設定直後で電動送風機１の再起動前に、記憶手段１６に記憶された満杯情報により、表示手段１４を点灯すると、図２の時間ｔ５で表示手段１４が点灯することとなり、従来例より早い、電気掃除機の次回の使用開始時で電動送風機１の入力設定直後のタイミングで集塵部７の集塵量が所定値以上であることを報知できるという効果がある。また、把手部４ａを握った圧力を検知する手元圧力検知手段１７を設け、集塵部７の集塵量が所定値以上の場合、使用者が把手部４ａを握った際、記憶手段１６に記憶された満杯情報により、表示手段１４を点灯すると、図２の時間ｔ４で表示手段１４が点灯することとなり、電気掃除機の次回の使用開始時で電動送風機１の入力設定前に集塵部７の集塵量が所定値以上であることを報知できるという効果がある。また、電源給電線１１ａが商用電源１１に接続された際、記憶手段１６に記憶された満杯情報により、表示手段１４を点灯すると、図２の時間ｔ３で表示手段１４が点灯することとなり、電気掃除機の次回の使用開始時で前記使用者が前記把手部４ａを握る前に集塵部７の集塵量が所定値以上であることを報知できるという効果がある。また、電動送風機１の電流値より、集塵部７の空を判定し、記憶手段１６に記憶された満杯情報を解除すると、記憶手段１６の解除手段なしで満杯情報を解除できるという効果がある。
【００３０】
（実施例２）
以下、本発明の第２の実施例を図３、図４を用いて説明する。なお上記第１の実施例と同一構成である部分については同一符号を付して説明を省略する。機構構成図は、従来例と同じなので省略する。
【００３１】
図３は制御構成図で、集塵室蓋９の開閉を検知する集塵室蓋開閉検知手段１８である。図４は電流特性図で、電動送風機１の電流値の変化を時系列で示している。集塵室蓋開閉検知手段１８によって集塵室蓋９が開かれたことを検知したら、記憶手段１６に記憶されている満杯情報を解除するものとする。
【００３２】
以上の構成による作用は以下のとおりである。
【００３３】
入力設定手段１２を「オン」に設定すると、電動送風機１は回転を開始し、このとき、図４の時間０である。電動送風機１の回転が立ち上がると、吸込具２より塵埃が吸引され、集塵部７に捕集されていく。電動送風機１の回転開始時は集塵部７の中に塵埃は無く、空なので、図４の時間ｔ１に於いて、集塵部７の中を通り抜ける風量は大きく、Ｑ１である。また、風量が大きいＱ１の場合は、風量の大きさが電動送風機１の回転を妨げる抵抗となるので、図２の時間ｔ１に於いて、電動送風機１の電流値も大きく、Ａ１となる。集塵部７の中に塵埃が溜まり、満杯になると、図４の時間ｔ２に於いて、集塵部７の中を通り抜ける風量はＱ１より小さいＱ２になる。また、風量が小さいＱ２の場合は、電動送風機１の回転を妨げる抵抗も小さくなるので、図４の時間ｔ２に於いて、電動送風機１の電流値もＡ１より小さいＡ２となる。電動送風機１の電流値がＡ２になったので、集塵部７が満杯になった情報を記憶手段１６に記憶し、表示手段１４を点灯させて集塵部７の集塵量が所定値以上であることを報知する。表示手段１４が点灯した状態で、入力設定手段１２を「オフ」に設定し、電動送風機１をオフする。次に、図４の時間ｔ９に於いて、集塵室蓋９を開くと記憶手段１６に記憶された満杯情報の記憶が解除され、表示手段１４が消灯する。集塵部７を空のものと交換し、集塵室蓋９を閉じる。
【００３４】
次に、２回目の電気掃除機の使用を開始するため、図４の時間ｔ１０に於いて入力設定手段１２を「オン」に設定する。この後、時間の経過と共に電動送風機１の回転が立ち上がり、図４の時間ｔ１１に於いて、集塵部７が空なので風量Ｑ１、電流値Ａ１となる。
【００３５】
このように、記憶手段１６に記憶された満杯情報を解除すると、電動送風機１を再起動し、電流値がＡ１に回復する図４の時間ｔ１１になるまで満杯情報の解除ができないが、集塵室蓋９を開くことで図４の時間ｔ９で満杯情報を解除すると、電気掃除機の次回の使用開始時で電動送風機１の回転が立ち上がる前に集塵部７の集塵量が所定値以上であることを解除できるという効果がある。
【００３６】
（実施例３）
以下、本発明の第３の実施例を図５、図６を用いて説明する。なお上記第１の実施例と同一構成である部分については同一符号を付して説明を省略する。機構構成図は、従来例と同じなので省略する。
【００３７】
図５は制御構成図で、電動送風機１と電動機１０をそれぞれ断続回転させる制御を行なう第２の制御手段１９である。図６は制御タイミングチャート図で、電動送風機１と電動機１０の断続回転（回転と停止）の変化を時系列で示している。集塵部７の集塵量が所定値以下の場合は風量Ｑ１で電流値Ａ１であり、集塵部７の集塵量が所定値以上の場合、風量はＱ１より小さいＱ２で、電流値はＡ１より小さいＡ２である。電流値がＡ１より小さいＡ２になったら、電動送風機１、電動機１０を断続回転させて集塵部７の集塵量が所定値以上であることを報知する。なお、断続回転は使用者に対する報知が目的なので、断続回転の回転と停止の時間はそれぞれ固定でも良いし、可変しても良いものとする。また、両者の断続回転については、どちらか片方を断続回転させるか、両者共に断続回転させる方法があり、両者共に断続回転させる場合は、両者で同期を取っても良いし、非同期でも良いものとする。
【００３８】
以上の構成による作用は以下のとおりである。
【００３９】
入力設定手段１２を「オン」に設定すると、電動送風機１は回転を開始する。電動送風機１の回転が立ち上がると、吸込具２より塵埃が吸引され、集塵部７に捕集されていく。電動送風機１の回転開始時は集塵部７の中に塵埃は無く、空なので、集塵部７の中を通り抜ける風量は大きくＱ１である。また、風量が大きいＱ１の場合は、風量の大きさが電動送風機１の回転を妨げる抵抗となるので、電動送風機１の電流値も大きくＡ１となる。集塵部７の中に塵埃が溜まり、満杯になると、集塵部７の中を通り抜ける風量はＱ１より小さいＱ２になる。また、風量が小さいＱ２の場合は、電動送風機１の回転を妨げる抵抗も小さくなるので、電動送風機１の電流値もＡ１より小さいＡ２となる。電動送風機１の電流値がＡ２になったので、電動送風機１、電動機１０を断続回転させて集塵部７の集塵量が所定値以上であることを報知する。
【００４０】
このように、電動機１０を断続回転させて集塵部７の集塵量が所定値以上であることを報知するので、表示手段１４やその他の報知手段を用いなくても済む。また、電動送風機１を断続回転させて集塵部７の集塵量が所定値以上であることを報知するので、表示手段１４やその他の報知手段を用いず、電動機１０を具備していなくても報知することができるという効果がある。また、電動送風機１と電動機１０を断続回転させて集塵部７の集塵量が所定値以上であることを報知するので、表示手段１４やその他の報知手段を用いなくても済み、かつ両者を断続回転させるので、それらの回転音や把手部４ａを媒体して伝わる振動が、どちらか片方の断続回転のときよりもさらに報知効果を大きくできるという効果がある。
【００４１】
【発明の効果】
本発明によれば、使用者に利便性良く集塵部の集塵量が所定値以上であることを報知できる使用性の高い電気掃除機を提供できる。
【図面の簡単な説明】
【図１】本発明の第１の実施例を示す電気掃除機の制御構成図
【図２】同電気掃除機の電流特性図
【図３】本発明の第２の実施例を示す電気掃除機の制御構成図
【図４】同電気掃除機の電流特性図
【図５】本発明の第３の実施例を示す電気掃除機の制御構成図
【図６】同電気掃除機の制御タイミングチャート
【図７】従来例を示す電気掃除機の機構構成図
【図８】同電気掃除機の制御構成図
【図９】同電気掃除機の電流値と風量の特性図
【符号の説明】
１　電動送風機
４ａ　把手部
６　本体
７　集塵部
９　集塵室蓋
１０　電動機
１１　商用電源
１１ａ　電源給電線
１２　入力設定手段
１３　電流検知手段
１４　表示手段
１５　制御手段
１６　記憶手段
１７　手元圧力検知手段
１８　集塵室蓋開閉検知手段
【図１】
2004065357.tif 000003
【図２】
2004065357.tif 000004
【図３】
2004065357.tif 000005
【図４】
2004065357.tif 000006
【図５】
2004065357.tif 000007
【図６】
2004065357.tif 000008
【図７】
2004065357.tif 000009
【図８】
2004065357.tif 000010
【図９】
2004065357.tif 000011